(57)【要約】【課題】高画質化、高速化および省電力化を図ることができるモノカラーの画像読み取り装置を提供する。【解決手段】原稿画像８０１を独立した複数のラインを持つラインセンサ８０２の走査により読み取り、得られた画像信号を増幅する回路８０３と画像信号の白ピーク値の保持と更新を繰り返して白ピーク値の追従を行う白ピーク検出回路８０６を有し、白ピーク検出回路８０６により検出した白ピーク値をＡ／Ｄ変換手段８０４のリファレンス電圧とすることにより、読み取った画像信号の地肌除去を行う画像読み取り装置において、前記ラインセンサ８０２は２ライン以上を同時に読み取り、ラインセンサの得られた画像信号を増幅する回路８１５と、白ピーク検出回路８０６により検出した白ピーク値をＡ／Ｄ変換手段８１６とを有し、Ａ／Ｄ変換後にライン遅延回路８１３と合成回路８１４によりデータを合成する。【選択図】　　　　図８
2004072406.tif 000002
【特許請求の範囲】
【請求項１】
原稿画像を独立した複数のラインを持つラインセンサの走査により読み取り、得られた画像信号を増幅する第１の増幅回路と、画像信号の白ピーク値の保持と更新を繰り返して白ピーク値の追従を行う白ピーク検出回路とを有し、当該白ピーク検出回路により検出した白ピーク値を第１のＡ／Ｄ変換回路のリファレンス電圧とすることにより、読み取った画像信号の地肌除去を行う画像読み取り装置において、
前記ラインセンサは２ライン以上を同時に読み取り、読み取って得られた画像信号を増幅する第２の増幅回路と、
前記白ピーク検出回路により検出した白ピーク値をＡ／Ｄ変換する第２のＡ／Ｄ変換回路と、
を有し、Ａ／Ｄ変換後にライン遅延回路と合成回路とによってりデータを合成することを特徴とする画像読み取り装置。
【請求項２】
前記ラインセンサは２ライン以上を同時に読み取り、第１ラインは前記第１の増幅回路で増幅し、第２ライン以降は第２の増幅回路で増幅することを特徴とする請求項１記載の画像読み取り装置。
【請求項３】
前記第１の増幅回路の出力は第１のＡ／Ｄ変換回路でＡ／Ｄ変換されてライン遅延回路に入力され、
前記第２の増幅回路の出力は第２のＡ／Ｄ変換回路でＡ／Ｄ変換されてライン合成回路に入力され、
前記ライン合成回路で同一読み取り画像を重ね合わせることを特徴とする請求項２記載の画像読み取り装置。
【請求項４】
光源の点灯時間を短くして読み取りを行わせる制御手段を備えていることを特徴とする請求項１記載の画像読み取り装置。
【請求項５】
請求項１ないし４のいずれか１項に記載の画像読み取り装置と、
この画像読み取り装置によって読み取られた画像データに基づいて記録紙上に可視画像を形成する画像形成手段と、
を備えていること特徴とする画像形成装置。
【発明の詳細な説明】
【０００１】
【発明の属する技術分野】
本発明は、画像読み取り装置に関し、より詳細には、２ライン以上のＣＣＤを使用したモノカラー読み取り装置及びこの画像読み取り装置を備えた画像処理装置に関する。
【０００２】
【従来の技術】
従来、モノクロ画像の読み取りでは、１ラインＣＣＤによる１次元走査による読み取りが主流である。この場合、１ラインＣＣＤの特性により画質・読み取り速度の限界がほぼ決まっていた。そのため高画質化・読み取り速度の高速化にはＣＣＤを新たに開発しなければならなかった。また、高画質化・高速化のために必要な原稿面照度を得るためには、光源に与える電力を増やさなさればならなかった。
【０００３】
このようなことから、例えば、特開平８−１３９８７２号公報には、一定の明るさの照明の下、原稿の暗部から明部にわたる濃淡の階調性を高い精度で読み取ることができるように、暗部においては出力に対するノイズ成分を減少させて階調性を高め、明部においてはＣＣＤセンサの出力電圧が飽和出力電圧を越えないようにして明部の階調性の検出値のリニアリティを保つようにした発明が開示されている。
【０００４】
また、特開平９−２３３２６１号公報には、色ズレ補正とダイナミックレンジ拡大を図るため、１ラインＣＣＤに代えて２ラインセンサを用い、階調圧縮を行うスキャナ装置が提案されている。
【０００５】
【発明が解決しようとする課題】
前述のように、１ラインＣＣＤによる１次元走査による読み取りを行おうとする場合、１ラインＣＣＤの特性により画質・読み取り速度の限界がほぼ決まっていた。また、色ズレ補正とダイナミックレンジ拡大を図るため、１ラインＣＣＤに代えて２ラインセンサを用いる発明も前述のように提案されているが、前記画質や読み取り速度の限界を越えて画像読み取りが可能なわけではなかった。
【０００６】
本発明はこのような従来技術の実情に鑑みてなされたもので、その目的は、高画質化、高速化および省電力化を図ることができるモノカラーの画像読み取り装置および画像形成装置を提供することにある。
【０００７】
【課題を解決するための手段】
前記目的を達成するため、第１の手段は、原稿画像を独立した複数のラインを持つラインセンサの走査により読み取り、得られた画像信号を増幅する第１の増幅回路と、画像信号の白ピーク値の保持と更新を繰り返して白ピーク値の追従を行う白ピーク検出回路とを有し、当該白ピーク検出回路により検出した白ピーク値を第１のＡ／Ｄ変換回路のリファレンス電圧とすることにより、読み取った画像信号の地肌除去を行う画像読み取り装置において、前記ラインセンサは２ライン以上を同時に読み取り、読み取って得られた画像信号を増幅する第２の増幅回路と、前記白ピーク検出回路により検出した白ピーク値をＡ／Ｄ変換する第２のＡ／Ｄ変換回路とを有し、Ａ／Ｄ変換後にライン遅延回路と合成回路とによってりデータを合成することを特徴とする。
【０００８】
第２の手段は、第１の手段において、前記ラインセンサは２ライン以上を同時に読み取り、第１ラインは前記第１の増幅回路で増幅し、第２ライン以降は第２の増幅回路で増幅することを特徴とする。
【０００９】
第３の手段は、第２の手段において、前記第１の増幅回路の出力は第１のＡ／Ｄ変換回路でＡ／Ｄ変換されてライン遅延回路に入力され、前記第２の増幅回路の出力は第２のＡ／Ｄ変換回路でＡ／Ｄ変換されてライン合成回路に入力され、前記ライン合成回路で同一読み取り画像を重ね合わせることを特徴とする。
【００１０】
第４の手段は、第１の手段において、前記光源の点灯時間を短くして読み取りを行わせる制御手段を備えていることを特徴とする。
【００１１】
第５の手段は、第１ないし第４のいずれかの手段に係る画像読み取り装置と、この画像読み取り装置によって読み取られた画像データに基づいて記録紙上に可視画像を形成する画像形成手段とから画像形成装置を構成したことを特徴とする。
【００１２】
第１ないし第３の手段では、例えばフルカラー３ラインＣＣＤのＲＧＢの各フィルタを省いたＣＣＤ出力の２ライン分又は３ライン分を用いることにより実現できる２ライン以上を有するモノクロＣＣＤ（８０２）の走査により読み取り、第１ラインは第１の増幅回路（後述の実施形態では、第１のアナログ信号処理回路８０３）でアナログ処理し、第１のＡ／Ｄ変換回路（８０４）により、得られた画像信号のＡ／Ｄ変換を行い、Ａ／Ｄ変換後のデータをライン遅延回路（８１３）に入力し、一方、２ライン以降は第２の俗副回路（後述の実施形態では、第２のアナログ信号処理回路８１５）でアナログ処理し、第２のＡ／Ｄ変換回路（８１６）でＡ／Ｄ変換を行った後、ライン合成回路（８１４）に入力し、ライン遅延回路（８１３）とライン合成回路（８１４）でライン合わせをして出力する。ライン合成を行ったデータはノイズ成分が改善されたデータとなるため、１ラインＣＣＤによる１次元走査による読み取りよりも高画質の読み取りデータを得ることができる。
【００１３】
また、１ラインＣＣＤの場合と同等の画質レベルを２ライン又は３ライン以上にて得る際、光源に対する電力を（１／ライン数）に低減することができるので、光源の消費電力の低減が実現できる。
【００１４】
第４の手段は、１ラインＣＣＤの場合と同等の画質レベルを２ライン又は３ライン以上にて得るときに、ＣＣＤの蓄積時間を短縮することができるので、ラインシンク間隔を短くした分読み取り速度を早くでき、光源の点灯時間も短縮化され、その結果、消費電力の低減させることができる。
【００１５】
第５の手段では、第１ないし第４の手段に係る読み取り装置を備えているので、高画質かつ高速で低消費電力の画像形成装置を実現することができる。
【００１６】
【発明の実施の形態】
以下、本発明の実施形態について、図面を参照して説明する。
【００１７】
図１は本発明の実施形態に係るデジタル複写機の概略構成を示す図である。
【００１８】
この装置の機構は概略的に、複写機本体１と、自動原稿送り装置（ＡＤＦ）１００と胴内排紙トレイ２００と給紙ユニット（バンク）３００により構成されている。自動原稿送り装置１００は原稿給紙台１０１上に積載された原稿を１枚ずつ複写機本体１側のコンタクトガラス１０上に給紙し、画像読み取り後に排紙トレイ１０５上に排紙するように構成されている。
【００１９】
原稿給紙台１０１上の原稿は、図示省略のサイドフェンスにより幅方向（用紙搬送方向に直交する方向）が揃えられ、給紙ローラ１０２により一番上の原稿から分離されて給紙され、搬送ベルト１０３によりコンタクトガラス１０上に給紙される。また、給送部１０７には、原稿幅検知センサ１０８及び原稿長さ検知センサ１０９が設けられている。自動原稿送り装置１００から送られる原稿のサイズは、前記原稿幅検知センサ１０８及び原稿長さ検知センサ１０９によって検知される。
【００２０】
コンタクトガラス１０上の原稿は読み取り終了後に、搬送ベルト１０３及び排紙ローラ１０４により排紙トレイ１０５上に排紙される。また、両面の原稿を読み取る場合には、原稿給紙台１０１上の原稿は給紙ローラ１０２により一番上の原稿から分離されて給紙され、搬送ベルト１０３によりコンタクトガラス１０上を通過して反転爪１０６により反転され、再びコンタクトガラス１０上に給紙されて裏面が読み取られる。次いで、コンタクトガラス１０上の原稿は裏面読み取り終了後に、搬送ベルト１０３により搬送されて反転爪１０６により反転され、再びコンタクトガラス１０上に給紙されて表面が読み取られる。そして、表面読み取り終了後の原稿は搬送ベルト１０３及び排紙ローラ１０４により排紙トレイ１０５上に排紙される。
【００２１】
図２は自動原稿送り装置を示す要部斜視図である。同図に示すように自動原稿送り装置１００はヒンジ８１および８２を中心に開閉されるようになっている。
ヒンジ８１の近傍の複写機本体１の上面には爪８３が設けられ、自動原稿搬送装置１００を閉じたときに爪８３に対向する自動原稿装置１００の下面には孔８４が設けられ、自動原稿送り装置１００を閉じると爪８３が孔８４に挿通されるようになっている。孔８４に隣接する自動原稿送り装置１００の内部には、孔８４に挿通された爪８３の有無を検出するリフトアップ検知センサ８５および原稿検知タイミングセンサ８６が設けられている。リフトアップ検知センサ８５は、自動原稿送り装置１００が完全に閉じられている（リフトダウン）ときに爪８３を検出してＯＮ状態になり、自動原稿送り装置１００が開いている（リフトアップ）ときにＯＦＦ状態になる。なお、完全に閉じられている状態とは、自動原稿送り装置１００の下面側の一部が複写機本体１の上面に接触している状態をいう。
【００２２】
一方、原稿検知タイミングセンサ８６は、後述する原稿サイズ検知センサの検出結果に基づいてコンタクトガラス１０上にある原稿のサイズを検知するタイミングを制御するために設けられており、自動原稿送り装置１００の開放角度が所定角度以内になると、爪８３を検知してＯＮ状態になるようになっている。この所定角度はわずかな角度であり、オペレータが手で自動原稿送り装置１００を開くと、リフトアップ検知センサ８５および原稿検知タイミングセンサ８６の両方がＯＦＦ状態になる。なお、８７および８８は端面（原稿）スケールである。
【００２３】
図３に示すように、コンタクトガラス１０の下方には原稿サイズ検知センサ９１，９２，９３が設けられている。各原稿サイズ検知センサ９１，９２，９３は、図４に示すように、１個の発光ダイオード９１ａから発せられた光を３ビームに分散させて照射し、その反射光を光学系内部の３個の受光素子９１ｂで受光する反射型のセンサであり、光学系内部からコンタクトガラス１０を透視して原稿面からの反射光のみを受光して原稿の有無を検知するものである。
【００２４】
原稿サイズ検知センサ９１，９２，９３は常に作動しており、各受光素子では、コンタクトガラス上１０の原稿を検出したときにはＯＮ状態となり、原稿を検出していないときにはＯＦＦ状態となっている。原稿サイズ検知センサ９１，９２，９３は、コンタクトガラス１０上の所定位置に載置された複数種類の原稿のサイズに応じて配置されている。これより、コンタクトガラス１０上に原稿が有るか否かが判定されるとともに、コンタクトガラス１０上の原稿のサイズが検知される。
【００２５】
複写機本体１は原稿を読み取るスキャナ部、画像処理部及びプロッタ部などを有する。スキャナ部は原稿を載置するためのコンタクトガラス１０と光学走査系を有し、光学走査系は露光ランプ１１、第１ミラー１２、第２ミラー１３、第３ミラー１４、レンズ１５、ＣＣＤ１６等を有する。露光ランプ１１及び第１ミラー１２は第１キヤリッジに搭載され、第１キヤリッジは原稿読み取り時にステッピングモータにより一定の速度で副走査方向に移動する。第２ミラー１３及び第３ミラー１４は第２キヤリッジに搭載され、第２キヤリッジは原稿読み取り時にステッピングモータにより第１キヤリッジの１／２の速度で移動する。この第１、第２のキヤリッジの移動によりコンタクトガラス１０上の原稿が光学的に走査され、レンズ１５によりＣＣＤ１６の受光面に結像されて光電変換される。
【００２６】
ＣＣＤ１６により得られた画像信号は、画像処理回路によりＡ／Ｄ変換等された後に画像処理部６０４により各種の画像処理が施され、次いでコピー時には書き込みユニットにより記録紙にコピーされる。
【００２７】
書き込みユニットはレーザ出力ユニット２０，２５、ｆθレンズ２１、ミラー２２，２３，２４，２６，２７を有し、レーザ出力ユニット２０，２５はレーザ光源であるレーザダイオード（ＬＤ）と、図示省略のポリゴンミラー及びポリゴンモータを有する。レーザ出力ユニット２０，２５からはコピー時にはスキャナにより読み取られた画像に応じて変調された黒信号のレーザ光が出射され、感光体３０上にその潜像が形成される。感光体３０の回りには、黒現像器３２、赤の第２現像器３３、転写搬送装置５４及び図示省略の分離器などが配置され、感光体３０上のトナー像が用紙に記録される。
【００２８】
用紙は複写機本体１内の両面ユニット４０、第１トレイ５、給紙ユニット３００内の第２トレイ３１０、第３トレイ３２０及び第４トレイ３３０の１つから選択的に、それぞれ両面ユニット４０の可逆転コロ４２及び接離コロ４３のローラ対、第１給紙装置５１、第２給紙装置３１１、第３給紙装置３２１及び第４給紙装置３３１から給紙される。
【００２９】
図７に示すように、各トレイにセットされている記録紙のサイズ及びセット方向はトレイ内のサイズレバー４００の位置を複数連のプッシュスイッチ４０１によるＯＮ／ＯＦＦの組み合わせによって検知している。
【００３０】
各トレイより給紙された用紙は先端がレジストセンサ５２により検出された後の所定時間後にレジストローラ５３に突き当って一旦停止し、副走査有効期間信号（ＦＧＡＴＥ）に同期してレジストローラ５３により搬送され、転写搬送装置５４により感光体３０上のトナー像が転写される。次いでこの用紙は感光体３０から分離された後、定着装置５５によりトナー像が定着される。この定着後の用紙は片面印刷時と両面印刷後には切り換え爪５７、排紙ローラ５６により胴内排紙トレイ２００に排出される。両面印刷時の裏面印刷後の用紙は、切り換え爪５７により両面搬送賂４１に導かれ、可逆転コロ４２及び接離コロ４３により反転されて両面ユニット４０内に搬送される。両面ユニット４０内の用紙は、縦搬送部に送られて表面に画像が形成される。
【００３１】
図５はこのデジタル複写機の制御系を示すブロック図である。同図において、操作部コントローラ５００は操作部の液晶、各種ＬＥＤの表示制御、各種キー入力制御を行い、システムコントローラ５０１は給紙、搬送、定着、両面印刷、プロセス制御等を行う。画像処理コントローラ５０２は画像制御、スキャナの読み取り制御を行い、ＡＤＦコントローラ５０３は自動原稿送り装置１００の制御を行う。給紙トレイコントローラ５０４は給紙トレイの制御を行い、ＦＡＸコントローラ５０５はＦＡＸ送受信の管理、ファイル管理を行い、プリンタコントローラ５０６はプリンタデータ受信の管理、ファイル管理を行う。
【００３２】
図６はこのデジタル複写機の画像処理回路を示すブロック図である。
【００３３】
コンタクトガラス１０上の原稿６００が露光ランプ１１により照明され、反射光がＣＣＤ１６により読み取られる。次いでＣＣＤ１６によりＲ、Ｇ、Ｂに分離されたアナログの画像信号が信号処理回路６０１により増幅されて光量補正され、ＡＤ変換器６０２によりデジタルの画像信号に変換され、シェーデイング補正回路６０３によりシェーディング補正され、画像処理部６０４に送られる。画像処理部６０４ではＭＴＦ補正、γ補正、黒画像生成、２値処理、多値処理などの画質処理が施され、黒データがセレクタ６０５に出力される。セレタタ６０５では、変倍部６０６あるいは画像メモリコントローラ６０８へのいずれかに画像信号の送り先を切り替える。変倍部６０６を経由した画像信号は変倍率に合せて拡大縮小され、書き込みユニット６０７に送られる。
【００３４】
画像メモリコントローラ６０８とセレクタ６０５間は、双方向に画像信号を入出力可能な構成となっている。また、画像メモリコントローラ６０８等への設定や、読み取り部、書き込み部の制御を行うＣＰＵ６０９、及びそのプログラムやデータを格納するＲＯＭ６１０、ＲＡＭ６１１を備えでいる。更にＣＰＵ６０９は、メモリコントローラ６０８を介して、画像メモリ６１２のデータの書き込み、読み出しが行える。
【００３５】
原稿画像で画像メモリコントローラ６０８へ送られた画像は、画俊メモリコントローラ６０８内にある画像圧縮装置によって画像データを圧縮した後、画像メモリ６１２に送られる。画像圧縮を行うことによって限られた画像メモリを有効に利用できる。また、一度に多くの原稿画像データを記憶することができるため、貯えられた原稿画像イメージデータをページ順に出力することができる。この場合、画像メモリ６１２のデータをメモリコントローラ６０８内の伸長装置で順次伸長しながら画像を出力する。このように貯えられた原稿画像イメージデータをページ順に出力し、部数毎に原稿画像を回転させ、記録紙に出力する。
【００３６】
他方、ＦＡＸ送信時にはセレクタ６０５により黒データがＦＡＸ用イメージメモリ６１３に転送される。また、ＦＡＸ受信時には、回線から受信データが復調、伸張された後にＦＡＸ用イメージメモリ６１３で展開され、セレクタ６０５により書き込みユニット６０７に送られる。更に、プリンタデータ受信時には、プリンタ用イメージメモリ６１４で展開された後、セレクタ６０５により書き込みユニット６０７に送られる。
【００３７】
図８は本発明の実施形態に係る画像読み取り装置の要部のブロック図である。
図８を参照し、本実施形態における画像読み取り装置の要部の構成及びその動作の概要について説明する。
【００３８】
読み取り対象である原稿８０１の光学像を光電変換素子で読み取る。ここでは、２ライン以上のライン数を有するモノクロＣＣＤの１次元のラインセンサ８０２によって光電変換することにより原稿画像８０１を読み取る。先に読み出される１ライン目の読み取り画像信号に後段の第１のアナログ信号処理（増幅）回路８０３で、増幅、ノイズ成分の除去、画像信号の白レベルを一定化する可変増幅等のアナログ処理を行う。アナログ処理後、画像信号を第１のＡ／Ｄ変換回路８０４でデジタル画像データに変換する。Ａ／Ｄ変換の過程で、量子化のリファレンス電圧Ｖｒｅｆとして地肌信号レベルを設定することにより地肌除去（地肌飛ばし）を行う方式を採る。第１のＡ／Ｄ変換回路８０４のリファレンス電圧Ｖｒｅｆとして設定するために検出される地肌信号は、第１のアナログ信号処理回路８０３からの画像信号出力で検出、出力される。２ライン目以降は第２のアナログ信号処理（増幅）回路８１５と１ライン目で得られたリファレンス電圧Ｖｒｅｆにより第２のＡ／Ｄ変挽回路８１６でデジタル画像データに変換する。そして、読み取った画像データのライン合わせライン遅延回路８１３とライン合成回路８１４で行う。すなわち、１ライン目の出力がライン遅延回路８１３から遅延されてライン合成回路８１４に入力され、一方、２ライン目以降の出力がライン合成回路８１４に入力され、ライン合成回路８１４で同一読み取り画像の重ね合わせが行われ、その画像データが画像処理ブロック８０５に出力される。
【００３９】
この後の流れは、Ａ／Ｄ変換後の画像データに対し画像処理ブロック８０５にてデジタル画像処理が施される。シェーディング補正及び２値化処理を行う場合を例にとると、γ補正、オフセット処理、ＭＴＦ補正、平滑化処理、誤差拡散（またはデイザ）、孤立点除去、ＯＲ処理等を施して２値データへの変換を行い利用装置へ画像データを出力する。なお、ＭＣＵ（主制御ユニット）８０７は地肌除去回路８０６や画像読み取り装置全体を制御する。また、タイミング信号発生回路８０８は１次元ラインセンサ８０２、第１および第２のアナログ信号処理回路８０３，８１５、地肌除去回路８０６、ＭＣＵ８０７、ステッピングモータドライバー８１０等への各種のタイミング信号を発生する。
【００４０】
なお、従来のこの種の回路は１ラインＣＣＤを使用していることから、図８における２ライン以上ＣＣＤが１ラインＣＣＤで構成されるほか、２ライン以上ＣＣＤにしたことに伴う構成要素第２のアナログ（増幅）回路８１５、第２のＡ／Ｄ変換回路８１６およびライン合成回路８１４がない構成となっている。
【００４１】
【発明の効果】
以上のように本発明によれば、原稿を２ライン以上の独立した複数のラインを持つラインセンサで読み取り、得た画像信号に対しライン遅延とライン合成を行うので、従来の画質に対してノイズ成分の少ない画像信号を実現できる。
【００４２】
また、本発明によれば、原稿を２ライン以上の独立した複数のラインを持つラインセンサで読み取り、得た画像信号に対しライン遅延とライン合成を行うので、従来の画質と同等のレベルを得るために必要とする光源の光量をライン数分の１に抑えることが可能となり、省電力化を図ることができる。
【００４３】
さらに、原稿を２ライン以上の独立した複数のラインを持つラインセンサで読み取り、得た画像信号に対しライン遅延とライン合成を行うので、従来の画質と同等のレベルを得るために必要とするラインセンサの蓄積時間が少なくて済み、ラインシンク間隔を短くすることができる。これにより線速を上げた高速読み取りが可能となり、光源の点灯時間を短縮し、省電力化を図ることができる。
【図面の簡単な説明】
【図１】本発明の実施形態に係るデジタル複写機の概略構成を示す図である。
【図２】図１のデジタル複写機に設けられた自動原稿送り装置を示す要部斜視図である。
【図３】コンタクトガラスの下方に設けられた原稿サイズ検知センサを配設位置を示す斜視図である。
【図４】原稿サイズ検知センサの構成を示す斜視図である。
【図５】本発明の実施形態に係るデジタル複写機の制御系を示すブロック図である。
【図６】本発明の実施形態に係るデジタル複写機の画像処理回路を示すブロック図である。
【図７】給紙ユニットのトレイ内における用紙サイズ検知センサの構成を示す図である。
【図８】本発明の実施形態に係る画像読み取り装置の要部のブロック図である。
【符号の説明】
８０２　２ライン以上ＣＣＤ
８０３　第１のアナログ信号処理回路
８０４　第１のＡ／Ｄ変換回路
８０５　画像処理ブロック
８０６　地肌除去回路（白ピーク検出回路）
８０７　ＭＣＵ
８０８　タイミング発生回路
８１３　ライン遅延回路
８１４　ライン合成回路
８１５　第２のアナログ信号処理回路
８１６　第２のＡ／Ｄ変換回路
【図１】
2004072406.tif 000003
【図２】
2004072406.tif 000004
【図３】
2004072406.tif 000005
【図４】
2004072406.tif 000006
【図５】
2004072406.tif 000007
【図６】
2004072406.tif 000008
【図７】
2004072406.tif 000009
【図８】
2004072406.tif 000010